(57)【特許請求の範囲】
【請求項１】
モバイルメッセンジャーサービスを行う移動通信端末機において、
モバイルメッセンジャーサービスの実行中のイメージ伝送要請に対して定期的にイメージデータを収集し、予め定められた周期で収集したイメージデータを送信するイメージデータを収集するイメージ収集部と、
イメージデータの第１伝送パケットを生成する伝送パケット生成部と、
パケットデータ通信網とインタフェースを提供し、前記パケットデータ通信網を介して前記モバイルメッセンジャーサービスを使用して相手方端末とデータ通信を行うために、前記モバイルメッセンジャーサービス中に特定の周期毎にイメージデータの第１伝送パケットをパケットデータ通信網に送るパケットデータインフェース部と、を含み、
前記モバイルメッセンジャーサービスのためのメッセージは短文メッセージサービス（Short Message Service）提供サーバを介して伝送されることを特徴とする移動通信端末機。
【請求項２】
前記イメージ収集部は、前記移動通信端末機の前面部に設置されたカメラレンズを含むことを特徴とする請求項１に記載の移動通信端末機。
【請求項３】
前記イメージ伝送データ生成部は、前記イメージを一度に伝送可能な大きさに分割して圧縮した後、当該圧縮されたイメージと、自身のＩＰアドレス及び相手方のＩＰアドレスとを含むイメージ伝送パケットを生成することを特徴とする請求項１に記載の移動通信端末機。
【請求項４】
前記イメージ伝送データ生成部は、前記分割されたイメージをＪＰＥＧ方式で圧縮することを特徴とする請求項３に記載の移動通信端末機。
【請求項５】
前記パケットデータ通信網インタフェース部は、モバイルメッセンジャーサービスの実行中に指定された他の移動通信端末機に前記収集されたイメージを伝送するために、前記イメージ伝送パケットをパケットデータ通信網に送信することを特徴とする請求項１に記載の移動通信端末機。
【請求項６】
前記制御部がイメージを伝送するためにあらかじめ設定された周期は、１秒内外であることを特徴とする請求項１に記載の移動通信端末機。
【請求項７】
イメージ伝送パケットをデコーディングするイメージデコーダーと、
前記デコーディングされたイメージをディスプレイするディスプレイ部と、をさらに含み、
前記パケットデータ通信網インタフェース部は、モバイルメッセンジャーサービスの実行中に受信されたイメージ伝送パケットを前記イメージデコーダーに伝達することを特徴とする請求項１に記載の移動通信端末機。
【請求項８】
前記ディスプレイ部は、前記モバイルメッセンジャーサービスの実行中に受信された相手方イメージを表示する相手方イメージ表示領域と、対話内容表示領域と、メッセージ入力領域とを含むことを特徴とする請求項７に記載の移動通信端末機。
【請求項９】
前記ディスプレイ部は、第１パケットを表示する第１イメージ表示領域をさらに含むことを特徴とする請求項８に記載の移動通信端末機。
【請求項１０】
前記制御部は、前記イメージデコーダーからデコーディングされたイメージを伝達されて、当該イメージが有効であるか否かを判断し、有効なイメージのみを表示するように前記ディスプレイ部を制御することを特徴とする請求項７に記載の移動通信端末機。
【請求項１１】
モバイルメッセンジャーサービスの実行中にイメージを伝送するための方法において、
パケットデータ通信網を介して前記モバイルメッセンジャーサービスを使用して相手方端末とデータ通信を行う過程と、
モバイルメッセンジャーサービスの実行中のイメージ伝送要請に応答して、定期的にイメージデータを収集し、予め定められた周期で収集したイメージデータを送信するイメージ収集過程と、
前記収集されたイメージデータの伝送パケットを生成する伝送パケット生成過程と、
モバイルメッセンジャーサービスの実行中に、あらかじめ設定された周期毎に前記イメージ伝送パケットをパケットデータ通信網に伝送するイメージ伝送過程と、を含み、
前記モバイルメッセンジャーサービスのためのメッセージは短文メッセージサービス（Short Message Service）提供サーバを介して伝送されることを特徴とするイメージ伝送方法。
【請求項１２】
前記第１伝送パケット生成過程は、
前記イメージを一度に伝送可能な大きさに分割する段階と、
前記分割されたイメージの各々を圧縮する段階と、
自身のＩＰアドレス及び相手方のＩＰアドレスと前記圧縮されたイメージとを含むイメージ伝送パケットを生成する段階と、を含むことを特徴とする請求項１１に記載のイメージ伝送方法。
【請求項１３】
前記イメージ伝送過程は、１秒内外の周期毎にイメージ伝送パケットを伝送することを特徴とする請求項１１に記載のイメージ伝送方法。
【請求項１４】
モバイルメッセンジャーサービスの実行中にパケットデータ通信網を介してイメージ伝送パケットを受信するイメージ受信過程と、
前記イメージ伝送パケットをデコーディングするデコーディング過程と、
前記デコーディングされたイメージをディスプレイするディスプレイ過程と、をさらに含むことを特徴とする請求項１１に記載のイメージ伝送方法。
【請求項１５】
前記ディスプレイ過程は、前記デコーディングされたイメージを表示するための相手方イメージ表示領域を設定し、前記相手方イメージ表示領域を対話内容表示領域及びメッセージ入力領域と共にディスプレイすることを特徴とする請求項１４に記載のイメージ伝送方法。
【請求項１６】
前記ディスプレイ過程は、
前記イメージ伝送過程で伝送された自身のイメージを表示するための自身のイメージ表示領域を設定し、前記自身のイメージ表示領域を前記相手方イメージ表示領域と、前記対話内容表示領域及び前記メッセージ入力領域と共にディスプレイすることを特徴とする請求項１５に記載のイメージ伝送方法。
【請求項１７】
前記ディスプレイ過程は、前記デコーディングされたイメージが有効であるか否かを判断し、有効なイメージのみを前記相手方イメージ表示領域にディスプレイすることを特徴とする請求項１４に記載のイメージ伝送方法。
【発明の詳細な説明】
【技術分野】
【０００１】
本発明は、モバイルメッセンジャーサービスの提供方法及びその装置に関し、特に、モバイルメッセンジャーサービスの利用中にイメージを伝送する移動通信端末機及びその方法に関する。
【背景技術】
【０００２】
通信産業の発達に伴い、符号分割多重接続（Code Division Multiple Access、以下、「ＣＤＭＡ」という）移動通信システムは、音声サービスだけでなく、パケットデータなどのような大容量のデータをも伝送するマルチキャスティングマルチメディア通信に発展してきている。
【０００３】
このような通信環境と歩調をあわせて、移動通信端末機は、パソコンに次ぐ機能を行うことができるように開発されている。これにより、移動通信端末機は、電話通話機能のほか、多様な機能（例えば、文字伝送、イメージ伝送など）をサポートすることができるようになった。また、移動通信端末機は、住所録を利用した人脈管理及びスケジュール管理が可能である。これは、移動通信端末機に格納することができるデータの種類が、電話番号だけでなく、ユーザのアドレス、インターネットメールアドレス、さらに、個人アバターに達するまで多様な種類に及ぶからである。
【０００４】
したがって、移動通信端末機の使用が急増していて、このため、移動通信端末機に対するユーザの依存度も増加していることが現況である。
【０００５】
このような傾向と歩調をあわせて、最近、移動通信端末機間にリアルタイム情報伝達が可能なモバイルメッセンジャーが提案されている。モバイルメッセンジャー（mobile messenger）とは、移動通信網を利用したリアルタイム情報伝達サービスであって、モバイルインターネットを用いて手紙、ファイル、資料をリアルタイムに伝送し、チャットや電話のようにリアルタイムに意思疎通を行うサービスを言う。（韓国特開２００４−９６３３１号公報に記載）
【０００６】
モバイルメッセンジャーサービスは、意思伝達のために主にテキストを利用する。すなわち、従来には、モバイルメッセンジャーサービスを用いて画像を伝送する機能がなかった。したがって、従来には、モバイルメッセンジャーサービスを利用した対話者間に互いに相手方の顔を見ながらチャットをすることができなかった。
【０００７】
最近、ＲＴＰ／ＲＴＣＰ（Real-time Transport Protocol/Real-time Transport Control Protocol）を用いて移動通信端末機間に画像を伝送する方式が提案されているが、これは、ＣＤＭＡ網システム内のサーバを経由しなければならないので、これをモバイルメッセンジャーサービスに適用することが非常に困難であった。例えば、ＣＤＭＡ網システム内のサーバを利用したサーバ−クライアントシステムを具現しなければならないので、システムが複雑となり、伝送速度が低下するという問題があった。
【発明の開示】
【発明が解決しようとする課題】
【０００８】
本発明は、前述のような問題点を解決するためになされたもので、その目的は、モバイルメッセンジャーサービスを利用した対話者間に互いに相手方の顔を見ながらチャットすることができる移動通信端末機及びその方法を提供することにある。
【課題を解決するための手段】
【０００９】
上記目的を達成するために、本発明の一態様に係る移動通信端末機は、モバイルメッセンジャーサービスを行う移動通信端末機において、モバイルメッセンジャーサービスの実行中のイメージ伝送要請に対して定期的にイメージデータを収集し、予め定められた周期で収集したイメージデータを送信するイメージデータを収集するイメージ収集部と、イメージデータの第１伝送パケットを生成する伝送パケット生成部と、パケットデータ通信網とインタフェースを提供し、前記パケットデータ通信網を介して前記モバイルメッセンジャーサービスを使用して相手方端末とデータ通信を行うために、前記モバイルメッセンジャーサービス中に特定の周期毎にイメージデータの第１伝送パケットをパケットデータ通信網に送るパケットデータインフェース部と、を含み、前記モバイルメッセンジャーサービスのためのメッセージは短文メッセージサービス（Short Message Service）提供サーバを介して伝送されることを特徴とする。
【００１０】
この際、前記イメージ収集部は、前記移動通信端末機の前面部に設置されたカメラレンズを含むか、又は、前記移動通信端末機がモバイルメッセンジャーサービスの実行中である時、前記カメラレンズの位置がホスト端末機の前面部に向かうように、位置または方向が変更されるカメラレンズを含むことが好ましい。
【００１１】
また、前記イメージ伝送データ生成部は、前記イメージを一度に伝送可能な大きさに分割して圧縮した後、当該圧縮されたイメージと、自身のＩＰアドレス及び相手方のＩＰアドレスとを含むイメージ伝送パケットを生成することが好ましい。
【００１２】
また、前記パケットデータ通信網インタフェース部は、モバイルメッセンジャーサービスの実行中に指定された他の移動通信端末機に前記収集されたイメージを伝送するために、前記イメージ伝送パケットをパケットデータ通信網に送信することが好ましい。
【００１３】
また、前記制御部がイメージを伝送するためにあらかじめ設定された周期は、１秒内外であることが好ましい。
【００１４】
また、前記移動通信端末機は、イメージ伝送パケットをデコーディングするイメージデコーダーと、前記デコーディングされたイメージをディスプレイするディスプレイ部と、をさらに含み、前記パケットデータ通信網インタフェース部は、モバイルメッセンジャーサービスの実行中に受信されたイメージ伝送パケットを前記イメージデコーダーに伝達することが好ましい。
【００１５】
また、前記ディスプレイ部は、前記モバイルメッセンジャーサービスの実行中に受信された相手方イメージを表示する相手方イメージ表示領域と、前記モバイルメッセンジャーサービスの実行中に相手方に伝送された自身のイメージを表示する自身のイメージ表示領域と、対話内容表示領域と、メッセージ入力領域とを含むことが好ましい。
【００１６】
また、前記制御部は、前記イメージデコーダーからデコーディングされたイメージを伝達されて、当該イメージが有効であるか否かを判断し、有効なイメージのみを表示するように前記ディスプレイ部を制御することが好ましい。
【００１７】
一方、本発明の他の態様に係るイメージ伝送方法は、モバイルメッセンジャーサービスの実行中にイメージを伝送するための方法において、パケットデータ通信網を介して前記モバイルメッセンジャーサービスを使用して相手方端末とデータ通信を行う過程と、モバイルメッセンジャーサービスの実行中のイメージ伝送要請に応答して、定期的にイメージデータを収集し、予め定められた周期で収集したイメージデータを送信するイメージ収集過程と、前記収集されたイメージデータの伝送パケットを生成する伝送パケット生成過程と、モバイルメッセンジャーサービスの実行中に、あらかじめ設定された周期毎に前記イメージ伝送パケットをパケットデータ通信網に伝送するイメージ伝送過程と、を含み、前記モバイルメッセンジャーサービスのためのメッセージは短文メッセージサービス（Short Message Service）提供サーバを介して伝送されることを特徴とする。
【００１８】
この際、前記伝送パケット生成過程は、前記イメージを一度に伝送可能な大きさに分割する段階と、前記分割されたイメージの各々を圧縮する段階と、自身のＩＰアドレス及び相手方のＩＰアドレスと前記圧縮されたイメージとを含むイメージ伝送パケットを生成する段階と、を含むことが好ましい。
【００１９】
また、前記圧縮段階は、前記分割されたイメージをＪＰＥＧ方式で圧縮することが好ましい。
【００２０】
また、前記イメージ伝送過程は、１秒内外の周期毎にイメージ伝送パケットを伝送することが好ましい。
【００２１】
また、前記方法は、モバイルメッセンジャーサービスの実行中にパケットデータ通信網を介してイメージ伝送パケットを受信するイメージ受信過程と、前記イメージ伝送パケットをデコーディングするデコーディング過程と、前記デコーディングされたイメージをディスプレイするディスプレイ過程と、をさらに含むことが好ましい。
【００２２】
また、前記ディスプレイ過程は、前記デコーディングされたイメージを表示するための相手方イメージ表示領域と、前記イメージ伝送過程で伝送された自身のイメージを表示するための自身のイメージ表示領域を設定し、前記自身のイメージ表示領域と、前記相手方イメージ表示領域と、対話内容表示領域及びメッセージ入力領域と共にディスプレイすることが好ましい。
【００２３】
また、前記ディスプレイ過程は、前記デコーディングされたイメージが有効であるか否かを判断し、有効なイメージのみを前記相手方イメージ表示領域にディスプレイすることが好ましい。
【発明の効果】
【００２４】
本発明によれば、モバイルメッセンジャーサービスの利用中に移動通信端末機が圧縮イメージの周期的な伝送により相手方の顔を伝送することができる。したがって、低速通信網でモバイルメッセンジャーを使用中のユーザも相手方の顔を見ながらチャットをすることができるという効果がある。
【発明を実施するための最良の形態】
【００２５】
以下、添付の図面を参照して本発明の好ましい実施例を詳細に説明する。この時、添付の図面において同じ構成要素は、可能な限り、同じ符号で示している。また、本発明の要旨を不明にすることができる公知機能及び構成に関する詳細な説明は省略する。
【００２６】
図１は、本発明が適用されたモバイルメッセンジャーサービスを提供する移動通信システムの例を示す図である。図１を参照すれば、モバイルメッセンジャーサービスを提供する移動通信システム（以下、「モバイルメッセンジャーシステム」という）は、移動通信端末機１００、５００、６００と、短文メッセージサービス（Short Message Service）提供サーバ（以下、「ＳＭＳサーバ」という）２００と、パケットデータコアネットワーク３００と、パケットデータサービングノード（Packet Data Serving Node、以下「ＰＤＳＮ」という）４００と、を含む。
【００２７】
移動通信端末機１００、５００、６００は、モバイルメッセンジャーサービスのためのプログラムが設置された端末機であって、対話招待のための招待メッセージを伝送するホスト端末機１００と、前記招待メッセージに応答して、対話受諾のための受諾メッセージを伝送するクライアント端末機５００、６００と、を含む。
【００２８】
ＳＭＳサーバ２００は、移動通信網（例えば、ＣＤＭＡ網）を介した短文メッセージ伝送サービスを提供する。特に、ホスト端末機１００の招待メッセージをクライアント端末機５００、６００に伝達する。
【００２９】
パケットデータコアネットワーク（Packet Data Core Network）３００は、ＰＰＰプロトコル（Point to Point Protocol：ＰＰＰ）通信チャネルを設定し、パケットデータ通信を行う。  
【００３０】
ＰＤＳＮ４００は、パケットデータコアネットワーク３００を介してホスト端末機１００及びクライアント端末機５００、６００の各々に連結され、クライアント端末機５００、６００の各々から伝達された受諾メッセージをホスト端末機１００に伝達する。そして、モバイルメッセンジャーサービスのための初期化後に行われるモバイルメッセンジャーサービスを提供する。すなわち、ホスト端末機１００とクライアント端末機５００、６００との間にリアルタイム情報伝送サービスを提供する。例えば、ホスト端末機１００が入力した情報メッセージをクライアント端末機５００、６００に伝達し、クライアント端末機５００が入力したメッセージをホスト端末機１００及びクライアント端末機６００に伝達し、クライアント端末機６００が入力したメッセージをホスト端末機１００及びクライアント端末機５００に伝達する。
【００３１】
このような構成を有するモバイルメッセンジャーシステムを利用したメッセンジャーサービス実行手続の例が図２に示されている。
【００３２】
図２は、図１に示された移動通信システムを利用したメッセンジャーサービス実行手続を示す図である。特に、図２は、ホスト端末機１００とクライアント端末機５００との間にモバイルメッセンジャーサービスのための初期化過程の例を示している。
【００３３】
図２を参照すれば、前記処理過程の例は、次の通りである。
【００３４】
まず、ホスト端末機１００は、平常時には、移動通信のための動作モードを維持していて、モバイルメッセンジャーサービスのための命令が入力されれば、モバイルメッセンジャープログラムを駆動する（ステップＳ１０５）。
【００３５】
そして、ユーザ選択情報に基づいてバディリスト（buddy list）を生成した後（ステップＳ１１０）、ＰＤＳＮ４００とＰＰＰプロトコル接続を行い（ステップＳ１１５）、ＰＤＳＮ４００からＩＰ（Internet Protocol）アドレスを割り当てられる（ステップＳ１２０）。
【００３６】
この時、「バディリスト」は、モバイルメッセンジャーサービスを介した対話を行いようとするユーザに対するリスト（又の名を対話相手リスト）である。ホスト端末機１００は、ホスト端末機１００内にあらかじめ登録したモバイルメッセンジャー対話予定者のうち今回の対話に含めようとする対話予定者を対話相手として選択した後、バディリストを生成することが好ましい。しかし、ホスト端末機１００の一般住所録にモバイルメッセンジャーサービスが可能なユーザを識別するための情報を含め、当該一般住所録からモバイルメッセンジャーサービスが可能なユーザのうち対話相手を選択することも可能である。
【００３７】
このようにバディリストを生成したホスト端末機１００は、前記バディリストに登録された対話相手に対応する端末機の各々に招待メッセージを伝送する。図２の例では、クライアント端末機５００に招待メッセージを伝送する例を示している。すなわち、図２は、前記過程Ｓ１１０でクライアント端末機５００に対応するユーザをバディリストに登録し、前記過程Ｓ１２５、Ｓ１３０では、クライアント端末機５００に招待メッセージを伝送する場合の例を示す。前記招待メッセージ伝送過程Ｓ１２５、Ｓ１３０は、ＳＭＳサーバ２００を介して行われ、前記過程Ｓ１１５で獲得したホスト端末機１００のＩＰアドレスを招待メッセージに含めて伝送する。この時、前記招待メッセージには、前記ＩＰアドレスのほか、ホスト端末機１００のＩＤ情報、ポート番号情報をさらに含めることが好ましい。
【００３８】
すると、前記招待メッセージを受信したクライアント端末機５００は、前記受信したメッセージの種類がモバイルメッセンジャーサービスのためのメッセージであることを判断し、メッセンジャープログラムを駆動する（ステップＳ１３５）。そして、前記招待メッセージからホスト端末機１００の情報を検出する（ステップＳ１４０）。すなわち、クライアント端末機５００は、ホスト端末機１００のＩＤ情報及びポート番号情報を検出する。
【００３９】
また、クライアント端末機５００は、ＰＤＳＮ４００とＰＰＰプロトコル接続を行い（ステップＳ１４５）、ＰＤＳＮ４００からＩＰアドレスを割り当てられた後（ステップＳ１５０）、ユーザ選択情報に基づいて前記招待メッセージに対する受諾メッセージをホスト端末機１００に伝達する（ステップＳ１５５、Ｓ１６０）。
【００４０】
この時、クライアント端末機５００は、前記招待メッセージの受信時（ステップＳ１３０）、ホスト端末機１００のＩＰアドレスを既に知っているので、当該ＩＰアドレスを用いてＰＤＳＮ４００を介してホスト端末機１００に受諾メッセージを伝達する。すなわち、自身のＩＰアドレスを出発地アドレスとし、ホスト端末機１００のＩＰアドレスを目的地アドレスとする受諾メッセージを生成した後、これをＰＤＳＮ４００に伝送することによって、この受諾メッセージをホスト端末機１００に伝達する。一方、前記受諾メッセージには、前記ＩＰアドレスの他、プロトコル情報、ポート番号情報及び認証情報を含むことが好ましい。
【００４１】
すると、ホスト端末機１００は、前記受諾メッセージを伝送したクライアント端末機５００の情報のみを含むようにバディリストを更新する（ステップＳ１６５）。すなわち、ホスト端末機１００は、前記招待メッセージに応答して、受諾メッセージを送らない端末機のユーザをバディリストから削除する。
【００４２】
そして、前記受諾メッセージを送ったクライアント端末機５００に前記過程Ｓ１６５で更新されたバディリストを伝送する（ステップＳ１７０、Ｓ１７５）。この時、ホスト端末機１００は、ＰＤＳＮ４００を介してバディリストを伝送する。
【００４３】
このように対話相手間にバディリストが共有されれば、各々のＩＰアドレスを利用したモバイルメッセンジャーサービスが開始される（ステップＳ１８０）。すなわち、各々の対話相手が前記ＩＰアドレスを用いてＰＤＳＮ４００に接続することによって、モバイルメッセンジャーサービスが開始される。
【００４４】
図３は、モバイルメッセンジャーサービスの利用中の移動通信端末機が本発明の一実施例によってイメージを送受信するための処理手続の例を示す図である。すなわち、図３は、図２に示されたような処理過程を通じてモバイルメッセンジャーサービスのための初期化を完了し、モバイルメッセンジャーサービスを利用中のホスト端末機１００とクライアント端末機５００との間にイメージを送受信するための処理過程の例を示す。特に、図３の例では、ホスト端末機１００がイメージを送信し、クライアント端末機５００が前記イメージを受信する場合の例を示している。
【００４５】
図３を参照すれば、ホスト端末機１００とクライアント端末機５００との間にメッセンジャーが連結され（ステップＳ２０５）、ホスト端末機１００及びクライアント端末機５００が共にテキスト送受信モードで動作中（ステップＳ２１０、Ｓ３０５）の状態でホスト端末機１００がイメージ伝送の要請を受ければ（ステップＳ２１５）、ホスト端末機１００は、イメージを収集する（ステップＳ２２０）。例えば、ホスト端末機１００のユーザがイメージ伝送を要請すれば、ホスト端末機１００は、それに応答してイメージを収集する。このために、ホスト端末機１００は、カメラモジュールを含み、前記カメラモジュールを介してホスト端末機１００のユーザのイメージを収集することが好ましい。
【００４６】
そして、前記収集されたイメージを伝送するためのイメージ伝送データを生成する（ステップＳ２２５）。すなわち、ホスト端末機１００は、前記イメージを一度に伝送可能な大きさに分割した後、圧縮する。この時、圧縮方式は、ＪＰＥＧ（Joint Photographic Expert Group)方式を利用することが好ましい。そして、前記分割圧縮されたイメージ伝送データのヘッダー領域に前記イメージ伝送データの出発地であるホスト端末機１００のＩＰアドレスと、目的地であるクライアント端末機５００のＩＰアドレスを格納する。すなわち、ホスト端末機１００のＩＰアドレスを出発地情報とし、クライアント端末機５００のＩＰアドレスを目的地情報とするイメージ伝送パケットを生成する。
【００４７】
一方、前記生成されたイメージ伝送データをクライアント端末機５００に伝送する（ステップＳ２３０）。
【００４８】
クライアント端末機５００は、前記イメージ伝送データを受信する。そして、前記イメージ伝送データの受信が完了すれば（ステップＳ３１０）、クライアント端末機５００は、前記受信されたイメージ伝送データを出力するための事前処理を行う（ステップＳ３１５）。例えば、クライアント端末機５００は、１つのイメージ受信のための時間をあらかじめ指定し、その時間の間に受信されたイメージデータを組み合わせて、イメージ出力データを生成する。または、イメージ分割情報が含まれたイメージ伝送データを受信した後、当該イメージ分割情報を用いて１つのイメージ出力のために必要な全てのイメージが受信されたと判断された場合、当該受信されたイメージデータを組み合わせてイメージ出力データを生成する。
【００４９】
このようにイメージ伝送データの受信及び事前処理が完了した場合、クライアント端末機５００は、前記受信及び事前処理が完了したイメージが有効であるか否かを判断し（ステップＳ３２０）、前記イメージが有効であると判断された場合、クライアント端末機５００は、当該イメージを表示する（ステップＳ３２５）。仮に、前記イメージが有効でない場合、クライアント端末機５００は、前記表示過程Ｓ３２５を省略する。例えば、通信異常に起因して、分割された多数のイメージのうち１つ以上が損傷された場合、クライアント端末機５００は、当該イメージが有効でないものと判断し、当該イメージを無視する。
【００５０】
そして、メッセンジャー終了要請が発生すれば（ステップＳ３３０）、例えば、クライアント端末機５００のユーザのメッセンジャー終了要請や相手方（例えば、ホスト端末機１００）のメッセンジャー終了要請が発生すれば、それに応答して、クライアント端末機５００は、前記モバイルメッセンジャーサービスを終了する（ステップＳ３３５）。
【００５１】
そうでない場合、クライアント端末機５００は、前記過程Ｓ３０５乃至Ｓ３２５を繰り返して行う。
【００５２】
一方、前記過程Ｓ２３０でイメージ伝送データを伝送したホスト端末機１００は、イメージ伝送のためにあらかじめ設定された伝送周期が経過すれば（ステップＳ２３５）、前記イメージ収集及び伝送のための一連の過程Ｓ２２０乃至Ｓ２３０を繰り返して行う。仮に、伝送周期が経過しない場合には、伝送周期になるまで待機する（ステップＳ２４０）。そして、伝送周期を待機するうちに、イメージ伝送取消要請が入力されれば（ステップＳ２４５）、メッセンジャー終了要請が発生するまでテキスト送受信を維持する（ステップＳ２５０）。すなわち、クライアント端末機５００とテキスト送受信を行うためのテキスト送受信モードで動作する。
【００５３】
そして、メッセンジャー終了要請が発生すれば（ステップＳ２５５）、例えば、ホスト端末機１００のユーザのメッセンジャー終了要請や相手方（例えば、クライアント端末機５００）のメッセンジャー終了要請が発生すれば、それに応答して、ホスト端末機１００は、前記モバイルメッセンジャーサービスを終了する（ステップＳ２６０）。
【００５４】
図３の例で、ホスト端末機１００は、ユーザのイメージ伝送要請に応答して、特定周期（例えば、１秒など）毎にイメージを収集し、クライアント端末機５００に伝送する。すなわち、特定の周期でユーザのイメージを収集した後、これをイメージ状態で圧縮し、システムまたはサーバを経由せずに、クライアント端末機５００に直接伝送する。したがって、モバイルメッセンジャーサービスの利用中の対話者が互いに相手方のイメージを見ることができるようになる。この時、前記伝送されるイメージは、正確にリアルタイム動映像ではないが、前記伝送周期を短縮することによって、リアルタイム動映像と類似の効果を出すことができる。
【００５５】
図４は、本発明の一実施例によってモバイルメッセンジャーサービスの利用中のイメージを伝送する移動通信端末機の例を示す図である。図４は、図１乃至図３に示されたホスト端末機１００の例を示す。しかし、ホスト端末機１００とクライアント端末機５００、６００は、招待メッセージを伝送したか否かの差異があるだけで、その構成上の差異はない。したがって、図１に示された移動通信端末機の構成は、クライアント端末機５００、６００にも適用されることができる。
【００５６】
図４を参照すれば、ホスト端末機１００は、イメージ収集部１１０、イメージ伝送データ生成部１２０、ＰＤＳＮインタフェース部１３０、イメージデコーダー１４０、ユーザインタフェース部１５０、制御部１６０、無線通信インタフェース部１７０、格納部１８０及びディスプレイ部１９０を含む。
【００５７】
イメージ収集部１１０は、イメージデータを収集する。例えば、イメージ収集部１１０は、制御部１６０の制御を受けて、モバイルメッセンジャーサービスの利用中のユーザのイメージをリアルタイムに収集する。このために、イメージ収集部１１０は、モバイルメッセンジャーサービスの利用中のユーザに向かって設置されたカメラレンズを含むことが好ましい。すなわち、前記カメラレンズは、モバイルメッセンジャーサービスを利用するために、ディスプレイ部１９０を見ながらユーザインタフェース部１５０（例えば、キーパッド）を操作中のユーザに向かうように設置されることが好ましい。例えば、前記カメラレンズは、ホスト端末機１００の前面部に設置されることが好ましい。または、モバイルメッセンジャーサービスの実行中に前記カメラレンズの位置がホスト端末機１００の前面部に向かうように、位置または方向が変更されるように設置されることが好ましい。
【００５８】
イメージ伝送データ生成部１２０は、イメージ収集部１１０で収集されたイメージをＰＤＳＮ（図２の４００）を介して伝送可能な形態に変更する。例えば、前記イメージを一度に伝送可能な大きさに分割した後、圧縮する。この時、圧縮方式は、ＪＰＥＧ（Join Photographic Expert Group）方式を利用することが好ましい。そして、前記分割圧縮されたイメージ伝送データのヘッダー領域に前記イメージ伝送データの出発地であるホスト端末機１００のＩＰアドレスと、目的地であるクライアント端末機５００のＩＰアドレスを格納する。すなわち、イメージ伝送データ生成部１２０は、ホスト端末機１００のＩＰアドレスを出発地情報とし、クライアント端末機５００のＩＰアドレスを目的地情報とするイメージ伝送パケットを生成する。
【００５９】
ＰＤＳＮインタフェース部１３０は、ＰＤＳＮ（図２の４００）とのデータ通信を行う。例えば、ホストコンピューター１００のバディリスト（又の名を対話相手リスト）に登録され、モバイルメッセンジャーサービスを利用中の移動通信端末機（例えば、クライアント端末機５００、６００）とデータ通信を行う。特に、ＰＤＳＮインタフェース部１３０は、イメージ伝送データ生成部１２０で生成されたイメージ伝送パケットを前記イメージ伝送パケットに指定された移動通信端末機に伝達する。そして、モバイルメッセンジャーサービスを利用中の他の移動通信端末機のうち１つから伝達されるイメージ伝送パケットを受信する。
【００６０】
イメージデコーダー１４０は、ＰＤＳＮインタフェース部１３０を介して受信されたイメージ伝送パケットをデコーディングする。例えば、イメージデコーダー１４０は、ＪＰＥＧで圧縮され、イメージ伝送パケットに含まれたイメージをデコーディングする。
【００６１】
ユーザインタフェース部１５０は、ホスト端末機１００の動作制御のためにユーザとのインタフェースを提供する。特に、ユーザインタフェース部１５０は、モバイルメッセンジャー招待メッセージ伝送及びモバイルメッセンジャーサービスを利用したイメージ伝送のためのユーザの操作信号を入力され、制御部１６０に伝達する。
【００６２】
制御部１６０は、ユーザインタフェース部１５０を介して入力された信号またはあらかじめ格納された動作プログラムに基づいてホスト端末機１００を制御する。
【００６３】
例えば、制御部１６０は、イメージ伝送が要請されれば、イメージ（例えば、ホスト端末機１００のユーザのイメージ）を収集し、指定された対話相手端末機に送信するように、イメージ収集部１１０、イメージ伝送データ生成部１２０及びＰＤＳＮインタフェース部１３０を制御する。すなわち、収集されたイメージを用いてイメージ伝送データを生成した後、これを送信するように制御することが好ましい。特に、制御部１６０は、前記イメージ伝送データをあらかじめ設定された特定周期（例えば、１秒など）に伝送することが好ましい。この時、制御部１６０は、相手方に伝送されるイメージをディスプレイ部１９０を介して出力するように制御することが好ましい。
【００６４】
または、制御部１６０は、ＰＤＳＮインタフェース部１３０を介して受信されたイメージ伝送データを処理して画面に表示するように、イメージデコーダー１４０及びディスプレイ部１９０を制御する。特に、制御部１６０は、イメージデコーダー１４０からデコーディングされたイメージを伝達されて、当該イメージが有効であるか否かを判断し、有効なイメージのみを表示するように制御する。例えば、通信異常に起因して、分割された多数のイメージのうち１つ以上が損傷された場合、制御部１６０は、当該イメージが有効でないものと判断し、当該イメージを無視する。
【００６５】
無線通信インタフェース部１７０は、制御部１６０の制御を受けて、無線通信網を介した通信を行う。例えば、無線通信インタフェース部１７０は、ホスト端末機１００の音声通話を制御し、ＳＭＳサーバ（図２の２００）を介して「短文メッセージ」形態の招待メッセージを伝達する。または、ＳＭＳサーバ（図２の２００）を介して伝達された「短文メッセージ」形態の招待メッセージを受信する。
【００６６】
格納部１８０は、ホスト端末機１００の動作と関連した情報（例えば、システム駆動制御のための駆動プログラム、前記プログラムと関連したデータなど）を格納する。特に、格納部１８０は、住所録１８１、メッセンジャープログラム１８３及びバディリスト１８５を格納することが好ましい。この時、「バディリスト１８５」は、モバイルメッセンジャーサービスを介した対話を行いようとするユーザに対するリスト（又の名を対話相手リスト）である。
【００６７】
ディスプレイ部１９０は、制御部１６０の制御を受けて、映像信号を出力する。例えば、ディスプレイ部１９０は、制御部１６０の制御を受けて、モバイルメッセンジャーサービスを利用中の対話相手のうち指定された一人から伝達されたイメージをディスプレイする。このために、ディスプレイ部１９０は、自身のイメージ表示領域、相手方イメージ表示領域と、対話内容表示領域及びメッセージ入力領域を含むことが好ましい。
【００６８】
図５は、本発明の一実施例によってモバイルメッセンジャーサービスの利用中にイメージを伝送する移動通信端末機の画面例を示す図である。図５は、ホスト端末機１００とクライアント端末機５００が互いに相手方のイメージを確認しながらモバイルメッセンジャーサービスを利用した対話を実行中である場合を示す画面例である。図５の（ａ）は、ホスト端末機１００の画面例を示し、図５の（ｂ）は、クライアント端末機５００の画面例を示す。図５を参照すれば、ホスト端末機１００及びクライアント端末機５００は、各々自身のイメージ表示領域１１０、５１０と、相手方イメージ表示領域１２０、５２０と、対話内容表示領域１３０、５３０及びメッセージ入力領域１４０、５４０を含む。
【００６９】
このように、本発明は、モバイルメッセンジャーサービスの利用中のユーザが対話相手の顔を見ながらチャットをすることができるようになる。例えば、本発明は、ＣＤＭＡ網システム内のサーバを利用した動映像情報の伝送でなく、端末機間に圧縮イメージ伝送を通じて相手方の顔を伝達する。従って、本発明は、モバイルメッセンジャーサービスを利用した対話中に、システムを変更することなく、簡便に相手方の顔を見ることができる。
【００７０】
以上において説明した本発明は、本発明が属する技術の分野における通常の知識を有する者であれば、本発明の技術的思想を逸脱しない範囲内で、様々な置換、変形及び変更が可能であるので、上述した実施例及び添付された図面に限定されるものではない。
【図面の簡単な説明】
【００７１】
【図１】本発明が適用されたモバイルメッセンジャーサービスを提供する移動通信システムの例を示す図である。
【図２】図１に示された移動通信システムを利用したメッセンジャーサービス実行手続を示す図である。
【図３】モバイルメッセンジャーサービスの利用中の移動通信端末機が本発明の一実施例によってイメージを送受信するための処理手続の例を示す図である。
【図４】本発明の一実施例によってモバイルメッセンジャーサービスの利用中にイメージを伝送する移動通信端末機の例を示す図である。
【図５】本発明の一実施例によってモバイルメッセンジャーサービスの利用中にイメージを伝送する移動通信端末機の画面例を示す図である。
【符号の説明】
【００７２】
１００  ホスト端末機
２００  短文メッセージサービス提供サーバー
３００  パケットデータコアネットワーク
４００  パケットデータサービングノード
５００  クライアント端末機
６００  クライアント端末機
【図１】
0004519877.tif 000002
【図２】
0004519877.tif 000003
【図３】
0004519877.tif 000004
【図４】
0004519877.tif 000005
【図５】
0004519877.tif 000006